(57)【特許請求の範囲】
【請求項１】
携帯機器の保護ケースを装飾する装飾具であって、
携帯機器の保護ケースの背面に前記装飾具を着脱可能に取り付けるための着脱部材と、
前記着脱部材の上に重ねた状態で接合することにより前記着脱部材と一体になるように固着され、前記装飾具の裏面を形成する第１部材と、
前記第１部材の上に重ねられ、前記装飾具の表面を形成する第２部材と、
を備え、
前記第１部材の左端部と前記第２部材の左端部とを接合すると共に、前記第１部材の右端部と前記第２部材の右端部とを接合することにより、
前記第２部材が前記第１部材と一体になるように固着し、かつ、
前記第１部材及び前記第２部材の上端部、及び、前記第１部材及び前記第２部材の下端部に挿入口を有する内側収納部を、前記第１部材と前記第２部材との間に形成する、
ことを特徴とする装飾具。
【請求項２】
請求項１に記載の装飾具であって、
前記第２部材の上に重ねられ、前記装飾具の表面にデザイン部を形成する第３部材と、をさらに備え、
前記第３部材の左端部及び右端部のみを前記装飾具に接合することにより、前記第３部材の上端部及び下端部に挿入口を有する外側収納部を、前記第２部材と前記第３部材との間に形成する、
ことを特徴とする装飾具。
【発明の詳細な説明】
【技術分野】
【０００１】
本発明は、装飾具に関する。
【背景技術】
【０００２】
携帯電話機のモニタ画面や操作ボタンが露出するよう被せて使用され、外観を縫いぐるみ状にした携帯電話機用の保護ケースが知られている（たとえば、特許文献１）。
【先行技術文献】
【特許文献】
【０００３】
【特許文献１】登録実用新案第３０６７７７０号公報
【発明の概要】
【発明が解決しようとする課題】
【０００４】
このような携帯機器の保護ケースでは、例えば、パンダを模した外観の保護ケースから、クマを模した外観の保護ケースに交換して、携帯機器の装飾変更を楽しむことができる。しかし、このように装飾を変更するためには、保護ケース自体を交換する必要があるため、その交換作業が手間であった。また、この保護ケースでは、パンダやクマを模した外観による装飾性を損なうおそれがあるため、収納機能を備えていなかった。
【０００５】
本発明は、このような事情に鑑みてなされたものであり、その目的とするところは、携帯機器の保護ケースを交換することなく簡単に装飾変更でき、装飾性を維持しつつも収納機能を備える装飾具を提供することにある。
【課題を解決するための手段】
【０００６】
上記目的を達成するための主たる発明は、
携帯機器の保護ケースを装飾する装飾具であって、
携帯機器の保護ケースの背面に前記装飾具を着脱可能に取り付けるための着脱部材と、
前記着脱部材の上に重ねた状態で接合することにより前記着脱部材と一体になるように固着され、前記装飾具の裏面を形成する第１部材と、
前記第１部材の上に重ねられ、前記装飾具の表面を形成する第２部材と、
を備え、
前記第１部材の左端部と前記第２部材の左端部とを接合すると共に、前記第１部材の右端部と前記第２部材の右端部とを接合することにより、
前記第２部材が前記第１部材と一体になるように固着し、かつ、
前記第１部材及び前記第２部材の上端部、及び、前記第１部材及び前記第２部材の下端部に挿入口を有する内側収納部を、前記第１部材と前記第２部材との間に形成する、
ことを特徴とする装飾具である。
本発明の他の特徴については、本明細書及び添付図面の記載により明らかにする。
【図面の簡単な説明】
【０００７】
【図１】携帯機器１から保護ケース２を分離させた状態、及び、保護ケース２から装飾具１０を分離させた状態を示す斜視図である。
【図２】図２Ａは、装飾具１０の正面図である。図２Ｂは、装飾具１０の背面図である。
【図３】装飾具１０の製法を説明する図である。
【図４】装飾具１０の内側収納部１５を説明する図である。
【図５】装飾具１０の外側収容部１６を説明する図である。
【図６】図６Ａは、他の装飾具２０の正面図である。図６Ｂは、他の装飾具２０の背面図である。
【発明を実施するための形態】
【０００８】
本明細書及び添付図面の記載により、少なくとも、以下の事項が明らかとなる。
即ち、携帯機器の保護ケースを装飾する装飾具であって、
携帯機器の保護ケースの背面に前記装飾具を着脱可能に取り付けるための着脱部材と、
前記着脱部材の上に重ねた状態で接合することにより前記着脱部材と一体になるように固着され、前記装飾具の裏面を形成する第１部材と、
前記第１部材の上に重ねられ、前記装飾具の表面を形成する第２部材と、
を備え、
前記第１部材の左端部と前記第２部材の左端部とを接合すると共に、前記第１部材の右端部と前記第２部材の右端部とを接合することにより、
前記第２部材が前記第１部材と一体になるように固着し、かつ、
前記第１部材及び前記第２部材の上端部、及び、前記第１部材及び前記第２部材の下端部に挿入口を有する内側収納部を、前記第１部材と前記第２部材との間に形成する、
ことを特徴とする装飾具である。
このような装飾具によれば、携帯機器の保護ケースを交換することなく簡単に装飾変更でき、収納機能を備えていても装飾性を維持することができる。
【０００９】
また、前記第２部材の上に重ねられ、前記装飾具の表面にデザイン部を形成する第３部材と、をさらに備え、
前記第３部材の左端部及び右端部のみを前記装飾具に接合することにより、前記第３部材の上端部及び下端部に挿入口を有する外側収納部を、前記第２部材と前記第３部材との間に形成する、こととしてもよい。
このような装飾具によれば、装飾性を維持しつつも、収納機能をより充実させることができる。
【００１０】
＝＝＝実施形態＝＝＝
＜全体構成＞
図１は、携帯機器１から保護ケース２を分離させた状態、及び、保護ケース２から装飾具１０を分離させた状態を示す斜視図である。
【００１１】
以下の説明では、図１に示すように各方向を定義する。すなわち、重力方向を「上下方向」とし、重力に従って「上」と「下」を定義する。また、携帯機器１の液晶画面側を「前」とし、その逆側（カメラ１ａ側）を「後」とする。また、上下方向及び前後方向に垂直な方向を「左右方向」とし、装飾具１０を表面側から見たときを基準にして、「右」と「左」を定義する。
【００１２】
携帯機器１は、携帯電話機やスマートフォン等の情報処理端末である。本実施形態における携帯機器１は、前面に液晶画面（不図示）を備えており、背面にはカメラ１ａを備えている。
【００１３】
保護ケース２は、携帯機器１を保護するカバーであって、携帯機器１の背面に取り付けられる。本実施形態における保護ケース２は、携帯機器１の背面に取り付けられた際に、携帯機器１のカメラ１ａを露出させるための貫通孔２ａを有している。そして、保護ケース２の背面には、着脱部材３が粘着テープ等によって取り付けられている。
【００１４】
着脱部材３は、面ファスナーやボタン等の接合部材である。本実施形態における着脱部材３は、マジックテープ（登録商標）のような面ファスナーであり、装飾具１０を保護ケース２に対して着脱させることができる。そして、この着脱部材３は、保護ケース２の貫通孔２ａを避けるように、下側に凹んだ形状（Ｖ字状に切り欠いた形状）の上端部を有している。
【００１５】
装飾具１０は、保護ケース２を直接的に装飾するものであると共に、携帯機器１を間接的に装飾するものである。本実施形態における装飾具１０は、複数枚の布地を重ね合わせて縫合することによって、和服や洋服のような衣服を模した形状をしている。そして、装飾具１０の裏面には、着脱部材１４が取り付けられている。この着脱部材１４は、保護ケース２の着脱部材３と対をなしている。そして、この装飾具１０は、下側に凹んだ形状（Ｖ字形状）の上端部を有している。
【００１６】
このようにして、装飾具１０、保護ケース２、携帯機器１の順に連結することによって、これらを一体化することができる。装飾具１０は、一体化された場合でも、保護ケース２を介して携帯機器１の背面に取り付けられることになるので、携帯機器１の液晶画面を覆うことがなく、利用者の通話、閲覧、操作を邪魔することはない。また、装飾具１０は、一体化された場合でも、下側に凹んだ形状（Ｖ字形状）の上端部を有しているため、カメラ１ａを遮ることなく携帯機器１を装飾することができる。
【００１７】
＜装飾具１０の構成＞
図２は、装飾具１０の構成を説明する図である。図２Ａは、装飾具１０の表面を示しており、図２Ｂは、装飾具１０の裏面を示している。
【００１８】
本実施形態における装飾具１０は、図２に示すように、和服（着物）を模した形状をしている。この装飾具１０は、装飾具１０の裏面を形成する第１部材１１と、装飾具１０の表面を形成する第２部材１２と、デザイン部を形成する第３部材１３と、着脱部材１４と、備えている。
【００１９】
第１部材１１は、布地を素材としており、着脱部材１４の上に重ねられた状態で縫合されている。すなわち、装飾具１０の裏面に、着脱部材１４が接合されることになる。なお、着脱部材１４については（着脱部材３も同様に）、上下方向の長さを約８５ミリ、左右方向の長さを約６０ミリにすることが望ましい。この大きさにすることで、市販されている各種類の保護ケース２に取り付けることができる。この第１部材１１の上端は、図２Ｂに示すように、下側に凹んだ形状（Ｖ字状に切り欠いた形状）になっている。そして、着脱部材１４の上端も、この形状に合わせて、下側に凹んだ形状（Ｖ字状に切り欠いた形状）になっている。これは、装飾具１０が保護ケース２を介して携帯機器１の背面に取り付けられた際に、携帯機器１のカメラ１ａを露出させるためである。
【００２０】
第２部材１２は、布地を素材としており、この第１部材１１の上に重ねられた状態で縫合されている。すなわち、第２部材１２は、第１部材１１を挟んで着脱部材１４の反対側に、装飾具１０の表面を形成する。
【００２１】
第３部材１３は、布地を素材としており、この第２部材１２の上に重ねられた状態で縫合されている。すなわち、第３部材１３は、装飾具１０の表面にデザイン部を形成することになる。本実施形態における第３部材１３は、和服（着物）の帯を模した形状をしている。
【００２２】
このようにして、着脱部材１４、第１部材１１、第２部材１２、第３部材１３の順に重ね合わせて連結することによって、これらを一体化した装飾具１０が形成されることになる。
【００２３】
＜装飾具１０の製法＞
図３は、装飾具１０の製法を説明する図である。図４は、装飾具１０の内側収納部１５を説明する図である。図５は、装飾具１０の外側収容部１６を説明する図である。
以下の説明では、図１において定義した各方向と一致させて、図３に示す各方向を定義する。
【００２４】
本実施形態における装飾具１０は、図２及び図３に示すように、第１部材１１、第２部材１２、第３部材１３の順に重ね合わせて縫合することによって、和服（着物）を模した形状に縫製される。
【００２５】
第１部材１１は、装飾具１０の裏面を形成するものであり、本体平面部１１ａと、上端部１１ｂと、下端部１１ｃと、左端部１１ｄと、右端部１１ｅと、右袖部１１ｆと、を有している。
【００２６】
本実施形態では、第１部材１１の上端部１１ｂは、下側に凹んだ形状、つまり、ここではＶ字状に切り欠いた形状になっている。また、第１部材１１の右袖部１１ｆは、筒状に縫製されており、その一端が自由端となっている。そして、第１部材１１の右袖部１１ｆは、その他端が第１部材１１の右端部１１ｅの上側部位に縫合されることにより、第１部材１１の本体平面部１１ａと一体となるように固着される。なお、下側に凹んだ形状として、Ｖ字形状を例に挙げて説明したが、これに限らずＵ字形状等にしても良い。
【００２７】
第２部材１２は、装飾具１０の表面を形成するものであり、本体平面部１２ａと、上端部１２ｂと、下端部１２ｃと、左端部１２ｄと、右端部１２ｅと、左袖部１２ｆと、を有している。
【００２８】
本実施形態では、第２部材１２の上端部１２ｂは、左上から右下へ向かって傾斜した形状になっている。また、第２部材１２の左袖部１２ｆは、筒状に縫製されており、その一端が自由端となっている。そして、第２部材１２の左袖部１２ｆは、その他端が第２部材１２の左端部１２ｄの上側部位に縫合されることにより、第２部材１２の本体平面部１２ａと一体となるように固着される。また、第２部材１２の本体平面部１２ａの横幅（左右方向の長さ）は、第１部材１１の本体平面部１１ａの横幅よりも若干大きくすることが望ましい。これにより、第１部材１１と第２部材１２とを重ね合わせて縫合した際に、第１部材１１と第２部材１２との間に隙間（収納部）を形成することができる。
なお、本実施形態では、左袖部１２ｆを、第１部材１１の左端部１１ｄの上側部位に縫合することも可能である。しかし、左袖部１２ｆを、第２部材１２の左端部１２ｄの上側部位に縫合することで、第１部材１１の左端部１１ｄを直線部位とすることができる。そのため、第１部材１１の左端部１１ｄ（直線部位）、及び、第２部材１２の右端部１２ｄ（直線部位）を、揃えて平らな壁面等に当てることによって、縫合後における左右袖の長さの違いを簡単に確認することができる。左右袖の長さの違いが大きくなり過ぎると、装飾具１０の完成時に左右のバランスが悪くなってしまう。
【００２９】
第３部材１３は、装飾具１０の表面にデザイン部を形成するものであり、本体平面部１３ａと、上端部１３ｂと、下端部１３ｃと、左端部１３ｄと、右端部１３ｅと、を有している。
【００３０】
本実施形態では、第３部材１３の本体平面部１３ａの横幅（左右方向の長さ）は、第２部材１２の本体平面部１２ａの横幅よりも若干大きくすることが望ましい。これにより、第２部材１２と第３部材１３とを重ね合わせて縫合した際に、第２部材１２と第３部材１３との間に隙間（収納部）を形成することができる。
【００３１】
ここで、装飾具１０の製法について具体的に説明する。先ずは、図２に示すように、第１部材１１の上に第２部材１２を重ね合わせた状態にする。このとき、第１部材１１及び第２部材１２の左右両端位置を互いに合致させる。また、第１部材１１の上端部１１ｂが有するＶ字形状の傾斜と、第２部材１２の上端部１２ｂの傾斜とを合致させる。これにより、装飾具１０の上端部をＶ字の襟ぐりを模した形状にすることができる。
【００３２】
次に、図３に示すように、第１部材１１の右端部１１ｅと第２部材１２の右端部１２ｅとを縫合すると共に、第１部材１１の左端部１１ｄと第２部材１２の左端部１２ｄとを縫合する。このとき、第１部材１１の上端部１１ｂと第２部材１２の上端部１２ｂは縫合しない。同様に、第１部材１１の下端部１１ｃと第２部材１２の下端部１２ｃも縫合しない。
【００３３】
このようにすることで、第１部材１１と第２部材１２とが一体になるように互いを固着することができ、かつ、第１部材１１の上端部１１ｂ及び第２部材１２の上端部１２ｂ（装飾具１０の上端部）、及び、第１部材１１の下端部１１ｃ及び第２部材１２の下端部１２ｃ（装飾具１０の下端部）に挿入口を有する内側収納部１５を、第１部材１１と第２部材１２との間の隙間に形成することができる。
【００３４】
例えば、図４に示すように、第１部材１１と第２部材１２との間に形成された内側収容部１５には、名刺やカード等の薄型形状の小物Ａを挟み込むことによって収納することができる。また、携帯機器１に用いるインナーイヤー型のイヤホンを束ねた状態にして内側収容部１５に収納することもできる。この際、小物Ａを装飾具１０の上端部からも下端部からも挿入することができる。これにより、装飾具１０は、収納機能を備えていながらも、和服を模した外観による装飾性を維持することが可能となる。
【００３５】
なお、内側収納部１５は、これに加え、第１部材１１の下端部１１ｃ及び第２部材１２の下端部１２ｃも縫合することによって、装飾具１０の上端部のみに挿入口を有するポケットにすることも可能である。
【００３６】
次に、第１部材１１と第２部材１２とを重ね合わせた状態で縫合することによってそれらが一体化されると、装飾具１０の表面に第３部材１３を縫合する。具体的には、第２部材１２の右端部１２ｅと第３部材１３の右端部１３ｅとを縫合すると共に、第２部材１２の左端部１２ｄと第３部材１３の左端部１３ｄとを縫合する。このとき、第３部材１３の上端部１３ｂ及び下端部１３ｃは縫合しない。
【００３７】
なお、これに限らず、第３部材１３の右端部１３ｅ及び左端部１３ｄを、装飾具１０の裏面に回り込ませて（巻きつけて）、第１部材１１の右端部１１ｅ及び左端部１１ｄに縫合しても良い。また、第３部材１３の左右端部を、第１部材１１及び第２部材１２の左右端部に縫合しても良い（つまり、３枚重ねで縫合しても良い）。
【００３８】
このようにすることで、第１部材１１、第２部材１２、及び第３部材１３が一体になるようにこれらを固着することができ、かつ、第３部材１３の上端部１３ｂ及び下端部１３ｃに挿入口を有する外側収納部１６を、第２部材１２と第３部材１３との間の隙間に形成することができる。
【００３９】
例えば、図５に示すように、第２部材１２と第３部材１３との間に形成された外側収容部１６には、薄型形状の小物Ａ以外にも、ペン等の縦長形状の小物Ｂを挟み込むことによって収納することができる。また、携帯機器１に用いるインナーイヤー型のイヤホンを束ねた状態にして外側収容部１６に収納することも可能である。この際、小物Ｂを第３部材１３の上端部１３ｂからも下端部１３ｃからも挿入することができる。これにより、装飾具１０は、収納機能を備えていながらも、和服の帯を模した外観による装飾性を維持することが可能となる。
【００４０】
＜装飾具１０の交換＞
本実施形態における装飾具１０は、上述したように、和服（着物）を模した形状をしていたが、これに限らず、他のデザイン形状にすることもできる。
【００４１】
図６は、他の装飾具２０の構成を説明する図である。図６Ａは、他の装飾具２０の表面を示しており、図６Ｂは、他の装飾具２０の裏面を示している。
【００４２】
図６に示すように、他の装飾具２０を、洋服（ドレス）を模した形状にすることもできる。この装飾具２０は、図２に示す装飾具１０と同様の構成である。すなわち、装飾具２０は、装飾具２０の裏面を形成する第１部材２１と、装飾具２０の表面を形成する第２部材２２と、デザイン部を形成する第３部材２３と、着脱部材１４と、備えている。そして、着脱部材１４、第１部材２１、第２部材２２、第３部材２３の順に重ね合わせて連結することによって、これらを一体化した装飾具２０が形成されることになる。
【００４３】
本実施形態では、保護ケース２の背面に固着された着脱部材３、及び、装飾具１０、２０の裏面に固着された着脱部材１４は、同一形状に形成され、一対となっている。この一対の着脱部材３、１４によって、装飾具１０、２０を保護ケース２から着脱することが可能となっている。
【００４４】
そのため、装飾具１０を保護ケース２の背面から取り外してから、他の装飾具２０を保護ケース２の背面に取り付けることによって、衣装を交換できる。つまり、保護ケース２を携帯機器１から取り外すことなく、携帯機器１の装飾を簡単に変更することができる。
【００４５】
以上のとおり、本実施形態に係る装飾具１０によれば、携帯機器１の保護ケース２の背面に装飾具１０、２０を着脱可能に取り付けるための着脱部材１４を備えることによって、保護ケース２を携帯機器１に取り付けたままで、装飾具１０から他の装飾具２０に簡単に交換することができる。また、本実施形態に係る装飾具１０は、和服（着物）を模した形状（他の装飾具２０は、洋服（ドレス）を模した形状）をしているが、襟ぐりを模した形状の上端部（又は下端部）から小物Ａを挿入して内側収納部１５に収納することができ、また、帯を模した形状の第３部材１３（他の装飾具２０では、ベルトを模した形状の第３部材２３）の上端部１３ｂ（又は下端部１３ｃ）から小物Ｂを挿入して外部収容部１６に収容することができる。そのため、装飾性（デザイン性）を損なうことなく、収納機能を発揮することが可能となる。
【００４６】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００４７】
上記の実施形態においては、装飾具１０が第３部材１３を備えていたが、デザイン等によって第３部材１３の縫合を省略しても良い。
また、上記の実施形態においては、第１部材１１、第２部材１２、第３部材、着脱部材１４を縫合することによって形成したり、それらを一体化するように縫合することによって装飾具１０を形成したりしたが、これに限定されるものではない。例えば、接着剤等を用いて貼り合わせることによって、第１部材１１、第２部材１２、第３部材、着脱部材１４を接合しても良い。また、接着剤等を用いて、それらを一体化するように接合することによって装飾具１０を形成しても良い。
また、上記の実施形態においては、第１部材１１、第２部材１２、第３部材が、布地を素材として形成される場合を説明したが、これに限定されるものではない。例えば、紙や樹脂製シート等を素材としても良い。
【符号の説明】
【００４８】
１  携帯機器、１ａ  カメラ、２  保護ケース、２ａ  貫通孔、３  着脱部材、１０  装飾具、１１  第１部材、１１ａ  本体平面部、１１ｂ  上端部、１１ｃ  下端部、１１ｄ  左端部、１１ｅ  右端部、１１ｆ  右袖部、１２  第２部材、１２ａ  本体平面部、１２ｂ  上端部、１２ｃ  下端部、１２ｄ  左端部、１２ｅ  右端部、１２ｆ  左袖部、１３  第３部材、１３ａ  本体平面部、１３ｂ  上端部、１３ｃ  下端部、１３ｄ  左端部、１３ｅ  右端部、１４  着脱部材、２０  装飾具、２１  第１部材、２２  第２部材、２３  第３部材
【要約】
【課題】携帯機器の保護ケースを交換することなく簡単に装飾変更でき、装飾性を維持しつつも収納機能を備える装飾具を提供する。
【解決手段】本発明にかかる装飾具は、携帯機器の保護ケースの背面に前記装飾具を着脱可能に取り付けるための着脱部材と、前記着脱部材の上に重ねた状態で接合することにより前記着脱部材と一体になるように固着され、前記装飾具の裏面を形成する第１部材と、前記第１部材の上に重ねられ、前記装飾具の表面を形成する第２部材と、を備え、前記第１部材の左端部と前記第２部材の左端部とを接合すると共に、前記第１部材の右端部と前記第２部材の右端部とを接合することにより、前記第２部材が前記第１部材と一体になるように固着し、かつ、前記第１部材及び前記第２部材の上端部、及び、前記第１部材及び前記第２部材の下端部に挿入口を有する内側収納部を、前記第１部材と前記第２部材との間に形成する。
【選択図】図４【図１】
0005407033.tif 000002
【図２】
0005407033.tif 000003
【図３】
0005407033.tif 000004
【図４】
0005407033.tif 000005
【図５】
0005407033.tif 000006
【図６】
0005407033.tif 000007